【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
医療流体送達システムの動作の方法であって、該方法は、
該医療流体送達システムのグラフィカルユーザインタフェース上に第１の画面を表示するステップであって、該第１の画面は状態メッセージゾーンを含む、ステップと、
該第１の画面上の該状態メッセージゾーンに複数の状態メッセージを表示するステップであって、該複数の状態メッセージの各々は、別々の時間に表示され、該医療流体送達システムのその時の状態を反映する、ステップと、
複数の画面を該グラフィカルユーザインタフェース上に表示するステップであって、該複数の画面は該第１の画面を含み、パワーインゼクタが電力供給されている間に、該グラフィカルユーザインタフェース上に表示される該画面は、それぞれ、独自の状態メッセージゾーンを含み、該状態メッセージゾーンは、該パワー インゼクタが電力供給されている間に、該グラフィカルユーザインタフェース上に表示される各画面のそれぞれの共通の位置に出現し、少なくとも１つの該状態メッセージが現在表示されている該状態メッセージゾーン内に常時表示される、ステップと、
該医療流体送達システムから医療流体を排出するステップと
を包含する、方法。
【請求項２】
医療流体送達システムの動作の方法であって、該方法は、
該医療流体送達システムのグラフィカルユーザインタフェース上に第１の画面を表示するステップであって、該第１の画面は状態メッセージゾーンを含む、ステップと、
該第１の画面上の該状態メッセージゾーンに状態メッセージを表示するステップと、
該状態メッセージゾーンに次に行うべき動作メッセージを表示するステップであって、該次に行うべき動作メッセージおよびそれに対応する状態メッセージは同時に表示される、ステップと、
該医療流体送達システムから医療流体を排出するステップと
を包含する、方法。
【請求項３】
医療流体送達システムの動作の方法であって、該方法は、
該医療流体送達システムのグラフィカルユーザインタフェース上に第１の画面を表示するステップであって、該第１の画面は状態メッセージゾーンを含む、ステップと、
該第１の画面上の該状態メッセージゾーンに状態メッセージを表示するステップと、
複数の状態メッセージのリスティングを選択可能に表示するステップと、
該医療流体送達システムから医療流体を排出するステップと
を包含する、方法。
【請求項４】
前記第１の画面上の前記状態メッセージゾーンに複数の状態メッセージを表示するステップをさらに包含し、該複数の状態メッセージの各々は、別々の時間に表示され、前記医療流体送達システムのその時の状態を反映する、請求項２〜３のいずれか１項に記載の方法。
【請求項５】
前記複数の状態メッセージのうちの少なくともいくつかに対する前記表示するステップは、異なる色を利用する、請求項１および４のいずれか１項に記載の方法。
【請求項６】
対応する前記状態メッセージゾーンに表示される各前記状態メッセージは、第１の色と、第２の色と、第３の色とから成る群から選択される色を利用する、請求項１〜５のいずれか１項に記載の方法。
【請求項７】
前記第１の色は正常状態を示し、前記第２の色は警告状態を示し、前記第３の色はエラー状態を示す、請求項６に記載の方法。
【請求項８】
対応する前記状態メッセージゾーンに表示される各前記状態メッセージは、複数の異なる背景色を利用する、請求項１〜７のいずれか１項に記載の方法。
【請求項９】
前記第１の画面は、セットアップ画面を備えている、請求項１〜８のいずれか１項に記載の方法。
【請求項１０】
前記セットアップ画面は、複数のパラメータの入力に適応し、該複数のパラメータは、それぞれ、前記排出するステップの実行に寄与する、請求項９に記載の方法。
【請求項１１】
前記グラフィカルユーザインタフェース上に複数の画面を表示するステップをさらに包含し、該複数の画面は前記第１の画面を備え、該複数の画面の画面は、それぞれ、独自の状態メッセージゾーンを備えている、請求項２〜１０のいずれか１項に記載の方法。
【請求項１２】
前記状態メッセージゾーンは、前記複数の画面の各々の共通の位置に出現する、請求項１１に記載の方法。
【請求項１３】
少なくとも１つの前記状態メッセージは、前記状態メッセージゾーンに常時表示される、請求項２〜１２のいずれか１項に記載の方法。
【請求項１４】
ドロップダウンメニューウィンドウをさらに備え、該ドロップダウンメニューウィンドウは、各状態メッセージをリスティングし、該各状態メッセージは、前記排出するステップを包含する流体送達処置に関係して、対応する前記状態メッセージゾーンに表示されている、請求項１〜１３のいずれか１項に記載の方法。
【請求項１５】
前記状態メッセージの各々のリスティングを表示するステップをさらに包含し、該状態メッセージの各々は、任意の前記排出するステップを包含する医療流体送達処置に関係して、対応する前記状態メッセージゾーンに表示されている、請求項１〜１３のいずれか１項に記載の方法。
【請求項１６】
前記医療流体送達システムはパワーヘッドと前記グラフィカルユーザインタフェースとを順に備えているパワーインゼクタを備えており、対応する前記状態メッセージゾーンに表示される各状態メッセージは、該パワーインゼクタの電源が投入され該パワーヘッドにどの注射器も取り付けられていないことと、少なくとも１つの注射器が該パワーヘッドに取り付けられて いることと、該パワーヘッドが上方にチルトされた位置にあることと、空気抜き動作が実行中であることと、空気抜き動作が完了したことと、該パワーヘッドが下方にチルトされた位置にあることと、該パワーヘッドが使用可能にされる準備ができていることと、該パワーインゼクタが使用可能にされることと、開存性 チェック注入が実行中であることと、開存性チェックが完了したことと、ドリップモード注入が実行中であることと、ドリップモード注入が終了したことと、タイミングボーラス注入が実行中であることと、タイミングボーラス注入が完了したことと、注入が実行中であることと、注入が中断したことと、注入が完了した ことと、各注射器が取り外されたことと、該パワーインゼクタが故障したこととから成る群を示し、該群から選択されるメッセージを伝える、請求項１〜１５のいずれか１項に記載の方法。
【請求項１７】
対応する前記状態メッセージゾーンに表示される各前記状態メッセージは、テキストの状態メッセージを含む、請求項１〜１６のいずれか１項に記載の方法。
【請求項１８】
対応する前記状態メッセージゾーンに表示される各前記状態メッセージは、少なくとも１つの図表の状態メッセージを含む、請求項１〜１６のいずれか１項に記載の方法。
【請求項１９】
対応する前記状態メッセージゾーンに表示される各前記状態メッセージは、少なくとも１つのテキストの状態メッセージと、少なくとも１つの図表の状態メッセージとを含む、請求項１〜１６のいずれか１項に記載の方法。
【請求項２０】
対応する前記状態メッセージゾーンに表示される各前記状態メッセージは、１つのテキストの状態メッセージと、少なくとも１つの図表の状態メッセージとを含む、請求項１〜１６のいずれか１項に記載の方法。
【請求項２１】
対応する前記状態メッセージゾーンに表示される各前記状態メッセージは、１つのテキストの状態メッセージと、少なくとも２つの図表の状態メッセージとを含む、請求項１〜１６のいずれか１項に記載の方法。
【請求項２２】
前記図表の状態メッセージの各々は、別個のアイコンを含む、請求項１８〜２１のいずれか１項に記載の方法。
【請求項２３】
前記アイコンの各々は、少なくとも２つの異なる状態で提示可能である、請求項２２に記載の方法。
【請求項２４】
前記アイコンの各々は、少なくとも３つの異なる状態で提示可能である、請求項２２に記載の方法。
【請求項２５】
前記アイコンの各々は、少なくとも４つの異なる状態で提示可能である、請求項２２に記載の方法。
【請求項２６】
前記状態の各々は、非活動状態と、活動状態と、完了状態と、早すぎた終了状態とから成る群から選択される、請求項２２〜２５のいずれか１項に記載の方法。
【請求項２７】
対応 する前記状態メッセージゾーンに、次に行うべき動作メッセージを表示するステップをさらに包含し、該次に行うべき動作メッセージおよびそれに対応する前記状態メッセージは該対応する該状態メッセージゾーンに同時に表示される、請求項１および３〜２３のいずれか１項に記載の方法。
【請求項２８】
パワーインゼクタであって、
パワーヘッドと、
注射器プランジャドライバと、
グラフィカルユーザインタフェースと、
該グラフィカルユーザインタフェース上に複数の画面を生成するように構成される制御論理であって、該複数の画面は第１の画面を含み、該パワーインゼクタが電力供給されている間に、該グラフィカルユーザインタフェース上に生成される画面は、それぞれ、状態メッセージゾーンを含み、該制御論理は該第１の画面上 の該状態メッセージゾーンに複数の状態メッセージを表示するようにさらに構成され、該複数の状態メッセージの各々は、別々の時間に表示され、パワーインゼクタのその時の状態を反映し、該状態メッセージゾーンは、該パワーインゼクタが電力供給されている間に、該グラフィカルユーザインタフェース上に生成され る該画面のそれぞれの共通位置に出現し、少なくとも１つの該状態メッセージは、現在表示されている該状態メッセージゾーンのそれぞれ内に常時表示される、制御論理と
を備えている、パワーインゼクタ。
【請求項２９】
パワーヘッドと、
注射器プランジャドライバと、
グラフィカルユーザインタフェースと、
該グラフィカルユーザインタフェース上に第１の画面を生成するように構成される制御論理であって、該第１の画面は状態メッセージゾーンを含み、該制御論理は該状態メッセージゾーンに状態メッセージと次に行うべき動作メッセージとを同時に表示するようにさらに構成される、制御論理と
を備えている、パワーインゼクタ。
【請求項３０】
パワーヘッドと、
注射器プランジャドライバと、
グラフィカルユーザインタフェースと、
該グラフィカルユーザインタフェース上に第１の画面を生成するように構成される制御論理であって、該第１の画面は状態メッセージゾーンを含み、該制御論理は該状態メッセージゾーンに状態メッセージを表示し、同様に対応する該状態メッセージゾーンにそれぞれ以前に表示された複数の状態メッセージのリスティングを選択可能に表示するようにさらに構成される、制御論理と
を備えている、パワーインゼクタ。
【請求項３１】
前記制御論理は、前記第１の画面上の前記状態メッセージゾーンに複数の状態メッセージを表示するようにさらに構成され、該複数の状態メッセージの各々は、別々の時間に表示され、パワーインゼクタのその時の状態を示す、請求項２９〜３０のいずれか１項に記載のパワーインゼクタ。
【請求項３２】
前記制御論理は、異なる色を利用して前記複数の状態メッセージの少なくともいくつかを表示するように構成される、請求項２８および３１のいずれか１項に記載のパワーインゼクタ。
【請求項３３】
前記制御論理は、第１の色と、第２の色と、第３の色とから成る群から選択される色を利用して、対応する前記状態メッセージゾーンに各前記状態メッセージを表示するように構成される、請求項２８〜３２のいずれか１項に記載のパワーインゼクタ。
【請求項３４】
前記第１の色は正常状態を示し、前記第２の色は警告状態を示し、前記第３の色はエラー状態を示す、請求項３３に記載のパワーインゼクタ。
【請求項３５】
前記制御論理は、対応する前記状態メッセージゾーンに表示される各前記状態メッセージに関係して複数の異なる背景色のうちの１つを利用するように構成される、請求項２８〜３４のいずれか１項に記載のパワーインゼクタ。
【請求項３６】
前記第１の画面は、セットアップ画面を含む、請求項２８〜３５のいずれか１項に記載のパワーインゼクタ。
【請求項３７】
前記セットアップ画面は、複数のパラメータの入力に適応し、該複数のパラメータは、それぞれ、医療流体送達処置の実行に寄与する、請求項３５に記載のパワーインゼクタ。
【請求項３８】
前記制御論理は前記グラフィカルユーザインタフェース上に複数の画面を表示するようにさらに構成され、該複数の画面は前記第１の画面を含み、該画面の各々は、独自の前記状態メッセージゾーンを含む、請求項２９〜３７のいずれか１項に記載のパワーインゼクタ。
【請求項３９】
前記状態メッセージゾーンは、前記複数の画面の各々上の共通の位置に出現する、請求項３８に記載のパワーインゼクタ。
【請求項４０】
少なくとも１つの前記状態メッセージは、前記第１の画面上の前記状態メッセージゾーンに常時表示される、請求項２９〜３９のいずれか１項に記載のパワーインゼクタ。
【請求項４１】
前記制御論理は、ドロップダウンメニューウィンドウに表示するようにさらに構成され、該ドロップダウンメニューウィンドウは、対応する前記状態メッセージゾーンに、医療流体送達処置に関係して、前記各状態メッセージをリスティングする、請求項２８〜４０のいずれか１項に記載のパワーインゼクタ。
【請求項４２】
前記制御論理は、複数の状態メッセージのリスティングを選択可能に表示するようにもさらに構成され、該複数の状態メッセージは、対応する前記状態メッセージゾーンに、医療流体送達処置に関係して、以前に表示されている、請求項２８、２９、および３１〜４０のいずれか１項に記載のパワーインゼクタ。
【請求項４３】
対応する前記状態メッセージゾーンに表示される前記各状態メッセージは、該パワーインゼクタの電源が投入され該パワーヘッドにどの注射器も取り付けられていないことと、少なくとも１つの注射器が該パワーヘッドに取り付けられてい ることと、該パワーヘッドが上方にチルトされた位置にあることと、空気抜き動作が実行中であることと、空気抜き動作が完了したことと、該パワーヘッドが下方にチルトされた位置にあることと、該パワーヘッドが使用可能にされる準備ができていることと、該パワーインゼクタが使用可能にされることと、開存性 チェック注入が実行中であることと、開存性チェックが完了したことと、ドリップモード注入が実行中であることと、ドリップモード注入が終了したことと、タイミングボーラス注入が実行中であることと、タイミングボーラス注入が完了したことと、注入が実行中であることと、注入が中断したことと、注入が停止した ことと、注入が完了したことと、各注射器が該パワーヘッドから取り外されたことと、「各注射器プランジャドライバを定位置に戻す」動作が実行中であることと、該パワーインゼクタが構成される若干の注射器を受容する準備を該パワーインゼクタが完了していることとから成る群を示し、該群から選択されるメッセー ジを伝える、請求項２８〜４２のいずれか１項に記載のパワーインゼクタ。
【請求項４４】
対応する前記状態メッセージゾーンに表示される前記各状態メッセージは、テキストの状態メッセージを含む、請求項２８〜４３のいずれか１項に記載のパワーインゼクタ。
【請求項４５】
対応する前記状態メッセージゾーンに表示される前記各状態メッセージは、少なくとも１つの図表の状態メッセージを含む、請求項２８〜４３のいずれか１項に記載のパワーインゼクタ。
【請求項４６】
対応する前記状態メッセージゾーンに表示される前記各状態メッセージは、少なくとも１つのテキストの状態メッセージと、少なくとも１つの図表の状態メッセージとを含む、請求項２８〜４３のいずれか１項に記載のパワーインゼクタ。
【請求項４７】
対応する前記状態メッセージゾーンに表示される前記各状態メッセージは、１つのテキストの状態メッセージと、少なくとも１つの図表の状態メッセージとを含む、請求項２８〜４３のいずれか１項に記載のパワーインゼクタ。
【請求項４８】
対応する前記状態メッセージゾーンに表示される前記各状態メッセージは、１つのテキストの状態メッセージと、少なくとも２つの図表の状態メッセージとを含む、請求項２８〜４３のいずれか１項に記載のパワーインゼクタ。
【請求項４９】
前記図表の状態メッセージの各々は、別個のアイコンを含む、請求項４５〜４８のいずれか１項に記載のパワーインゼクタ。
【請求項５０】
前記アイコンの各々は、少なくとも２つの異なる状態で提示可能である、請求項４９に記載のパワーインゼクタ。
【請求項５１】
前記アイコンの各々は、少なくとも３つの異なる状態で提示可能である、請求項４９に記載のパワーインゼクタ。
【請求項５２】
前記アイコンの各々は、少なくとも４つの異なる状態で提示可能である、請求項４９に記載のパワーインゼクタ。
【請求項５３】
前記状態の各々は、非活動状態と、活動状態と、完了状態と、早すぎた終了状態とから成る群から選択される、請求項５０〜５２のいずれか１項に記載のパワーインゼクタ。
【請求項５４】
前記制御論理は、前記状態メッセージと次に行うべき動作メッセージとを対応する前記状態メッセージゾーンに同時に表示するようにさらに構成される、請求項２８および３０〜５３のいずれか１項に記載のパワーインゼクタ。